(57)【特許請求の範囲】
【請求項１】
ケーシング(１)の内部に表示器(６)が設置され、ケーシング(１)には、表示器(６)の表示面の内、第１表示領域を露出させるための第１開口(16)と、第２表示領域を露出させるための第２開口(17)が併設され、第１表示領域によってディスプレイ部が形成される一方、第２表示領域を覆ってタッチパネル(３)が配備されて、タッチ操作部が形成されている携帯電話機において、ケーシング(１)の内面には、第１開口(16)と第２開口(17)の間に形成された桟部(14)に沿って伸びる補強部材(４)が設置され、タッチパネル(３)と表示器(６)の間には、タッチパネル(３)の操作力を受け止めるための透明のバックプレート(５)が設置され、該バックプレート(５)の両端部に補強部材(４)の両端部がそれぞれ係合し、該係合状態にて、バックプレート(５)の両端部と補強部材(４)の両端部がそれぞれ、表示器(６)の表示面を包囲して設けられた枠体(61)に接触していることを特徴とする携帯電話機。
【請求項２】
ケーシング(１)の内面には、補強部材(４)の長手方向に沿って伸びて補強部材(４)を両側から挟持するリブ(18)(19)が突設されている請求項１に記載の携帯電話機。
【発明の詳細な説明】
【０００１】
【発明の属する技術分野】
本発明は携帯電話機に関し、特に、ケーシングの前面に、電話番号等を表示するためのディスプレイ部と、タッチパネルによって構成されるタッチ操作部とを併設した携帯電話機に関するものである。
【０００２】
【従来の技術】
出願人は、図１に示す如く、前面ケース(11)及び背面ケース(12)からなるケーシング(１)の前面に、液晶表示器(６)の表示面によってディスプレイ部を形成すると共に、タッチパネル(３)によってタッチ操作部を形成した携帯電話機を開発した。
【０００３】
図１に示す携帯電話機においては、前面ケース(11)の一部を構成する前面パネル(２)に、液晶表示器(６)の表面を露出させてディスプレイ部を形成するための開口と、タッチパネル(３)の操作面を露出させてタッチ操作部を形成するための開口が設けられ、これによって両開口の間に桟部(23)が形成される。
【０００４】
図８は、従来の携帯電話機の上記桟部における断面構造を表わしており、前面パネル(９)が取り付けられた前面ケース(８)の奥部には、回路基板(７)が設置され、該回路基板(７)上に液晶表示器(６)が固定されている。そして、前面ケース(８)には、上述の桟部(81)(91)が形成されている。
【０００５】
【発明が解決しようとする課題】
ところで、図１に示す携帯電話機においては、タッチパネル(３)を僅かに手前へ起こした傾斜姿勢に設置することが、操作性の点で望ましい。しかしながら、タッチパネル(３)を傾斜姿勢に設置することによって、ケーシング(１)の前面から桟部(23)が最も高く突出することになり、携帯電話機を誤って落下させたとき、先ず桟部(23)が床面に衝突して、大きな衝撃を受ける。従来の携帯電話機において、図８に示す如く前面ケース(８)の桟部(81)(91)に衝撃力Ｆが作用すると、桟部(81)(91)が鎖線で示す様に変形して、内部の液晶表示器(６)に衝突し、これによって液晶表示器(６)が破損する虞れがある。
【０００６】
本発明の目的は、前面ケースの桟部に衝撃が加わったとしても、内部の表示器が破損する虞れのない携帯電話機を提供することである。
また、タッチパネルを使い、操作キーによる機能の数を増大させる携帯電話機を提供することである。
【０００７】
【課題を解決する為の手段】
本発明に係る携帯電話機においては、ケーシング(１)の内部に表示器(６)が設置され、ケーシング(１)には、表示器(６)の表示面の内、第１表示領域を露出させるための第１開口(16)と、第２表示領域を露出させるための第２開口(17)が併設され、第１表示領域によってディスプレイ部が形成される一方、第２表示領域を覆ってタッチパネル(３)が配備されて、タッチ操作部が形成されている。
ケーシング(１)の内面には、第１開口(16)と第２開口(17)の間に形成された桟部(14)に沿って伸びる補強部材(４)が設置されている。
又、タッチパネル(３)と表示器(６)の間には、タッチパネル(３)の操作力を受け止めるための透明のバックプレート(５)が設置されている。
そして、該バックプレート(５)の両端部に補強部材(４)の両端部がそれぞれ係合し、該係合状態にて、バックプレート(５)の両端部と補強部材(４)の両端部がそれぞれ、表示器(６)の表示面を包囲して設けられた枠体(61)に接触している。
【０００８】
上記本発明の携帯電話機においては、ケーシング(１)の桟部(14)に衝撃力が加わったとしても、該衝撃力は桟部(14)から補強部材(４)に作用し、該作用力は、補強部材(４)の脚部(41)(41)から表示器(６)の枠体(61)に伝わり、該枠体(61)によって受け止められる。従って、ケーシング(１)の桟部(14)が衝撃力の作用によって変形することはなく、これによって表示器(６)の破損が防止される。
又、タッチパネル(３)に対する操作力は、バックプレート(５)を介して、液晶表示器(６)の枠体(61)によって受け止められ、該操作力が表示器(６)の表示面に作用することはない。
然も、桟部(14)に作用する衝撃力とタッチパネル(３)に作用する操作力とが、何れか一方に偏ることなく、表示器(６)の枠体(61)によって受け止められる。
【０００９】
具体的構成において、ケーシング(１)の内面には、補強部材(４)の長手方向に沿って伸びて補強部材(４)を両側から挟持するリブ(18)(19)が突設されている。これによって、補強部材(４)はケーシング内の一定位置に保持される。
【００１２】
【発明の効果】
本発明に係る携帯電話機によれば、前面ケースの桟部に衝撃が加わったとしても、内部の表示器が破損する虞れはない。
また、本発明に係る携帯電話機によれば、タッチパネル(３)の奥方に配備された液晶表示器(６)の表示面に、操作キーの画像を表示して、該キー画像に対する押圧操作をタッチパネル(３)によって検知することにより、データ入力が行なわれる。従って、液晶表示器(６)に複数のキー画像を切換え表示すれば、操作キーによる機能の数を増大させることが出来る。
【００１３】
【発明の実施の形態】
以下、本発明の実施の形態につき、図面に沿って具体的に説明する。本発明に係る携帯電話機は、図１に示す如く合成樹脂製の前面ケース(11)と背面ケース(12)を組み合わせてなる扁平なケーシング(１)を具え、前面ケース(11)の表面には前面パネル(２)が融着固定されている。該前面パネル(２)は、ケーシング内部の液晶表示器(６)の表示面を前面へ露出させて構成されるディスプレイ部と、タッチパネル(３)の操作面を前面へ露出させて構成されるタッチ操作部を具えている。又、前面ケース(11)の表面には、複数の操作キー(15)が配備されている。一方、背面ケース(12)には、図２に示す如く、ケーシング(１)に内蔵された電池を交換する際に開くべき裏蓋(13)が着脱可能に取り付けられている。
【００１４】
ケーシング(１)の内部には、図３に示す如く、回路基板(７)が設置され、該回路基板(７)の上面に液晶表示器(６)が取り付けられている。該液晶表示器(６)は長方形の表示面を具え、該表示面を包囲して、枠体(61)が固定されている。前面ケース(11)には、液晶表示器(６)の表示面の内、ケーシング頭部側の大きな矩形領域(第１表示領域)に対応させて、矩形の第１開口(16)が開設されると共に、液晶表示器(６)の表示面の内、残りの比較的小さな矩形領域(第２表示領域)に対応させて、矩形の第２開口(17)が開設されている。これによって、前面ケース(11)には、第１開口(16)と第２開口(17)の間に、細長い桟部(14)が形成されている。
【００１５】
前面パネル(２)は、前面ケース(11)の第１開口(16)に対応する矩形の透明板部(21)を具えると共に、前面ケース(11)の第２開口(17)に対応する矩形の窓(22)を有しており、透明板部(21)と窓(22)の間には、前記前面ケース(11)の桟部(14)と重なるべき細長い桟部(23)が形成されている。そして、前面パネル(２)の窓(22)の周縁と、前面ケース(11)の第２開口(17)の周縁との間に、タッチパネル(３)が挟持される。
【００１６】
回路基板(７)上の液晶表示器(６)と前面ケース(11)の間には、タッチパネル(３)の背面が密着すべきバックプレート(５)が設置される。バックプレート(５)は、液晶表示器(６)の第２表示領域に対応する矩形の透明板部(50)を具え、該透明板部(50)には、その幅方向の両端面に、一対の二股片(51)(51)が突設されると共に、下方端面には、舌片(52)が突設されている。
【００１７】
又、液晶表示器(６)と前面ケース(11)の間には、金属製の補強部材(４)が設置される。補強部材(４)は、液晶表示器(６)の幅方向の両端部に跨る長さを有し、その両端部には、液晶表示器(６)側へ向けて突出する脚部(41)(41)が形成されている。
【００１８】
図４に示す如く、前面ケース(11)の内面には、第１開口(16)を包囲する枠状リブ(18)が突設されると共に、第１開口(16)と第２開口(17)の間を伸びる直線リブ(19)が突設され、枠状リブ(18)と直線リブ(19)の間に形成される細長い凹部に、補強部材(４)が嵌め込まれる。これによって、補強部材(４)は、その長手方向に伸びる端面が前面ケース(11)の内面に接触した状態で、図６に示す様に前面ケース(11)の枠状リブ(18)と直線リブ(19)によって挟持されることになる。
【００１９】
又、前面ケース(11)の両側壁に跨って突設された補強リブ(10)と直線リブ(19)の間に、バックプレート(５)が嵌め込まれ、両リブ(10)(19)によって挟持されることになる。この状態で、補強部材(４)の各脚部(41)は、図示の如くバックプレート(５)の各二股片(51)と係合する。
【００２０】
上述の如く前面ケース(11)に保持された補強部材(４)及びバックプレート(５)は、図５に示す如く回路基板(７)上の液晶表示器(６)に係合し、該バックプレート(５)上に、タッチパネル(３)が設置されることになる。これによって、タッチパネル(３)は、バックプレート(５)の透明板部(50)の表面に密着し、タッチパネル(３)に対する操作力が透明板部(50)によって受け止められる。
【００２１】
図７は、上記携帯電話機の組立状態での断面構造を表わしており、補強部材(４)の脚部(41)とバックプレート(５)の二股片(51)は、上述の如く互いに係合した状態で、液晶表示器(６)の枠体(61)の表面にそれぞれ接触する。又、バックプレート(５)の舌片(52)は液晶表示器(６)の枠体(61)に係合する。従って、前面パネル(２)の桟部(23)に対して衝撃力Ｆが加わったとしても、該衝撃力は前面ケース(11)の桟部(23)(14)を経て補強部材(４)に作用し、該作用力は、補強部材(４)の両脚部(41)(41)から液晶表示器(６)の枠体(61)に伝わって、該枠体(61)によって受け止められる。この様にして、補強部材(４)によって前面ケース(11)の桟部(23)(14)の変形が阻止され、液晶表示器(６)の破損が防止される。
【００２２】
又、タッチパネル(３)に対する操作力は、バックプレート(５)の二股片(51)(51)及び舌片(52)から液晶表示器(６)の枠体(61)に伝わり、該枠体(61)によって受け止められる。従って、タッチパネル(３)に対する操作力が液晶表示器(６)の表面に作用することはない。
【図面の簡単な説明】
【図１】本発明に係る携帯電話機を前面側から見た斜視図である。
【図２】該携帯電話機を背面側から見た斜視図である。
【図３】該携帯電話機の分解斜視図である。
【図４】該携帯電話機の前面ケースの内面と補強部材との係合構造を示す斜視図である。
【図５】補強部材及びバックプレートの回路基板との係合状態を示す斜視図である。
【図６】前面ケース内面に取り付けられた補強部材及びバックプレートを示す正面図である。
【図７】本発明に係る携帯電話機の桟部における断面構造を示す図である。
【図８】従来の携帯電話機の桟部における断面構造を示す図である。
【符号の説明】
(１) ケーシング
(11) 前面ケース
(12) 背面ケース
(14) 桟部
(２) 前面パネル
(23) 桟部
(３) タッチパネル
(４) 補強部材
(41) 脚部
(５) バックプレート
(51) 二股片
(６) 液晶表示器
(61) 枠体
(７) 回路基板
【図１】
0003759561.tif 000002
【図２】
0003759561.tif 000003
【図３】
0003759561.tif 000004
【図４】
0003759561.tif 000005
【図５】
0003759561.tif 000006
【図６】
0003759561.tif 000007
【図７】
0003759561.tif 000008
【図８】
0003759561.tif 000009